(57)【要約】【課題】親子式ソーシャルネットワークサービスシステム、サーバ、およびソーシャルネットワークサービスを介したメール一斉配信方法と託児サービスを提供する【解決手段】本発明によるソーシャルネットワークサービスシステムは、親の登録情報に子どもの情報がぶらさがり、登録した親だけが子情報の管理、訂正、修正、削除が出来る、ソーシャルネットワークサービスシステムである。このシステムにおいて、サーバは、ユーザによる登録を受けて、各登録ユーザが少なくとも一人の他の登録ユーザと関係づけられた登録ユーザの集合を、各ユーザの属性情報とともに管理するデータベースを構築する。また、子ども情報は親が公開を設定したユーザにのみ、その属性を公開することができる。【選択図】図１
2008176539.tif 000002
【特許請求の範囲】
【請求項１】
複数のコンピュータと通信ネットワークを介して接続されるサーバにより構成されるソーシャルネットワークサービスシステムであり、サーバはユーザによる登録を受け、各登録ユーザが少なくとも一人の他の登録ユーザと関係づけられた登録ユーザの集合を、各ユーザの属性情報とともに管理するデータベースを構築するとともに、登録ユーザの子情報もともに管理し、あらかじめ選択設定したユーザのみ子情報を閲覧する機能、選択していないユーザからは子情報が閲覧出来ない機能、あらかじめ選択設定したユーザ全てに一斉にメールを送る機能、登録ユーザがユーザを招待する場合に、登録ユーザの承認と紹介文記述後に登録する機能、登録ユーザは託児サービスを利用する場合のために条件の合う登録ユーザを検索するための情報機能を持つことを特徴とするソーシャルネットワークサービスシステム。
【請求項２】
複数のコンピュータと通信ネットワークを介して接続されるサーバにより構成されるプログラムであり、サーバはユーザによる登録を受け、各登録ユーザが少なくとも一人の他の登録ユーザと関係づけられた登録ユーザの集合を、各ユーザの属性情報とともに管理するデータベースを構築するとともに、登録ユーザの子情報もともに管理し、あらかじめ選択設定したユーザのみ子情報を閲覧する機能、選択していないユーザからは子情報が閲覧出来ない機能、あらかじめ選択設定したユーザ全てに一斉にメールを送る機能、登録ユーザがユーザを招待する場合に、登録ユーザの承認と紹介文記述後に登録する機能、登録ユーザは託児サービスを利用する場合のために条件の合う登録ユーザを検索するための情報機能を持つことを特徴とするプログラム
【請求項３】
複数のコンピュータと通信ネットワークを介して接続されるサーバにより構成され、サーバはユーザによる登録を受け、各登録ユーザが少なくとも一人の他の登録ユーザと関係づけられた登録ユーザの集合を、各ユーザの属性情報とともに管理するデータベースを構築するとともに、登録ユーザの子情報もともに管理し、あらかじめ選択設定したユーザのみ子情報を閲覧する機能、選択していないユーザからは子情報が閲覧出来ない機能、あらかじめ選択設定したユーザ全てに一斉にメールを送る機能、登録ユーザがユーザを招待する場合に、登録ユーザの承認と紹介文記述後に登録する機能、登録ユーザは託児サービスを利用する場合のために条件の合う登録ユーザを検索するための情報機能を持つ方法。
【発明の詳細な説明】
【技術分野】
【０００１】
本発明は、親子式ソーシャルネットワークサービスシステム、サーバ、およびソーシャルネットワークサービスを介したメール一斉配信方法と託児サービスに関するものである。
【背景技術】
【０００２】
従来、インターネットを利用したサービスとして、ソーシャルネットワークサービスと呼ばれるサービスがある。このサービスは、従来の電子掲示板（ＢＢＳ）のように不特定多数のものが利用できるものではなく、既登録会員から紹介を受けた者だけが利用することができる。新たに登録されたユーザがさらに別のユーザを紹介することにより、新たな登録ユーザが生まれる。このように、すべての登録ユーザは少なくとも一人の登録ユーザと友達として関係づけられており、各登録ユーザについてその各種個人情報等が当該ユーザの属性情報として記憶される。したがって、これらの登録ユーザの集合は人脈に相当し、それらの記憶情報はデータベースとして機能する。
【０００３】
このように、ソーシャルネットワークサービスシステムは、友達関係で繋がっているコミュニティを形成しており、通常、ユーザ登録時に実名（場合によっては顔写真も）を必要とすることもあり、匿名での書き込みが許される電子掲示板のようにサイト上で他人を中傷、誹謗するような行為は行い難く、節度を保った交流が行われる。各ユーザは自分の人脈を登録することにより新たな人脈を仲介により増やしていくことができる。
【０００４】
特許文献１にはソーシャルネットワークサービスシステムにおける人脈情報の検索システムが提案されている。特許文献２には、ネットオークションの売り手に関する信頼度を判断するための、人脈データベースを利用した情報提供システムが開示されている。
【特許文献１】特開２００３−１４１３８１号公報
【特許文献２】特開２００２−２５９７３０号公報
【発明の開示】
【発明が解決しようとする課題】
【０００５】
従来のソーシャルネットワークサービスシステムは、主として本人の情報のみを公開するものであった。ソーシャルネットワークサービスを介しての託児サービスを運営するにあたり、本人以外の情報も公開する必要が出てきている。
【０００６】
しかし、親子情報の一画面表示においては、子どもの人数が個々によって違うため、その表示に制約が作れない。例えば、子どもが一人の場合と二人の場合では、表示画面が異なるので、1ページのサイズやデータ量が決められなく、1ページのデータ量が膨大になる可能性もある。また、自分の情報を公開するとともに、誰にでも子どもの個人情報を公開することに関しての問題点がある。このような問題は、各ユーザの友達が増えて行くにつれて、一層、顕著となる
【０００７】
また、現在のソーシャルネットワークサービスでは、ユーザの友達にメールを送る際に一人ひとりに対してのメール配信は出来るが、あらかじめ、まとめて登録している人に対してメールを配信できない、同じ内容を配信するにあたり、ひとりひとり指定していかなくてはいけない。
【０００８】
したがって、本発明はこのような背景においてなされたものであり、その目的は、託児目的の子どもの情報を限定公開し、託児サービス利用に適したソーシャルネットワークサービスシステム、サーバ、およびソーシャルネットワークサービス提供方法を提供することにある。
【課題を解決するための手段】
【０００９】
本発明によるソーシャルネットワークサービスシステムは、親の登録情報に子どもの情報がぶらさがり、登録した親だけが子情報の管理、訂正、修正、削除が出来る、ソーシャルネットワークサービスシステムである。このシステムにおいて、サーバは、ユーザによる登録を受けて、各登録ユーザが少なくとも一人の他の登録ユーザと関係づけられた登録ユーザの集合を、各ユーザの属性情報とともに管理するデータベースを構築する。また、子ども情報は親が公開を設定したユーザにのみ、その属性を公開することができる。
【００１０】
あらかじめ、「託児サービス提供者」と登録した複数人のユーザに対して、一斉に同報メールを送ることが出来る。ユーザがユーザの友達、ユーザの友達の友達などから、自分の条件に合った「託児サービス提供者」を登録。登録者全員に一斉に同報メールが送ることにより、一人ひとりを探してメールするというアクションがなくなる。
【００１１】
ユーザがユーザの友達をソーシャルネットワークサービスに招待するにあたり、人脈情報の信頼性を高めるために、ユーザは紹介時に必ずユーザの友達の紹介文を記入する。また、記入後にユーザの友達が認証され、はじめてソーシャルネットワークサービスを利用することができる。
【発明の効果】
【００１２】
本実施の形態によれば、次のような効果が得られる。
【００１３】
本発明は、一人の登録ユーザを起点としてその登録ユーザの子情報を関係づけることにより、他のユーザからの子情報開示の切り分けの処理とすることができるので、個人情報を限られた範囲での利用に適する。
【００１４】
メール配信時にあらかじめ設定したユーザグループのユーザに一斉メール配信を行うことができる。
【００１５】
メール配信はあらかじめ登録しているＰＣメールアドレス、携帯メールアドレスに配信されるため、即時に確認することができる。
【発明を実施するための最良の形態】
【００１６】
本システムを実行する環境としては、インターネットあるいはイントラネットもしくは携帯端末が一般的である。ユーザはネットワークを介しサーバーと通信することにより、自分と近しい人脈から目的とする人を検索することが可能である。また、目的別により、ユーザを自分の人脈形成に登録することができる。以下、図面を参照して本発明の実施の形態を説明するが、本発明の範囲はこれに限定されるものではない。
【００１７】
図1は、本発明の詳細な実施するにあたって、これを可能とするシステムの一例である。なお、ユーザ端末は複数存在しており、ユーザがこれを固有の環境で使用することができ、ネットワークを介してサーバと相互通信を行う。通信ネットワークは、インターネットおよび、モバイルネットワークを含む。
【００１８】
図２は、本サービスに登録された複数のユーザＡ〜Ｋの間の対応関係を示している。図において、ユーザ間を連結するリンクは、両ユーザが「友達」関係にあることを意味している。本明細書における「友達」とは、通常の意味での「友達」を含むことは勿論であるが、それ以外にも、二人の登録ユーザに何らかの関係があり、両者がそれを認めている関係を示している。
【００１９】
図３は、本サービスに登録された複数のユーザＡ〜Ｃの間の対応関係と、そのユーザＡ〜Ｃの子情報を示している。ユーザＣはユーザＡの「マイナーサリー（託児者）」であるので、ユーザＡの子情報を見ることができるが、ユーザＡの「マイナーサリー」登録されていないユーザＢはユーザＡの子情報を見ることができない。
【００２０】
図４は、ユーザＡとマイナーサリー登録されているユーザＢ〜Ｆとの対応関係と、そのユーザＡからユーザＢ〜Ｆに対して一斉にメールを配信できることを示している。
【００２１】
図５により、本実施の形態における未登録ユーザの登録手順の一例を説明。
（１）まず、登録ユーザであるユーザＡがサーバに対して、ユーザＢを友達としてソーシャルネットワークサービスへの入力の推薦を行いたい旨の仮申し込みを行う。この仮申し込みはサーバが提供するウェブサイト上で行っても、あるいは電子メールで行ってもよい。この仮申し込みの際にはユーザＡはユーザＢの氏名やメールアドレス等、ユーザを特定するための情報をサーバに提示する。なお、仮申し込みに先立ってユーザＡがユーザＢの了解をとっておくことが好ましい。
（２）サーバはこの仮申し込みに対して、サーバのユーザ登録サイトのＵＲＬとともに、ユーザＢに通知する。この通知もウェブまたはメールで行うことができる。
（３）通知を受けたユーザＢは受信したメール内のＵＲＬのサイトにアクセスすることにより、ウェブ上で必要な情報を記入して申し込みを行う。パスワードを利用してログインを行う。
（４）サーバはユーザＢからのアクセスであることを確認して、ユーザＡにユーザＢからユーザＢから、仮登録が確認できた旨をメールにて通知する。
（５）ユーザＡはユーザＢが仮登録した旨を確認し、ユーザＢの登録を承認する旨を通知するとともに、ユーザＡはユーザＢの紹介文を記入し、サーバに通知する。
（６）サーバはユーザＡがユーザＢの登録を承認したことを確認後、ユーザＢに登録完了の旨をメールにて通知する。
【００２２】
図６は、ユーザ端末において本実施のサービスを利用する際に表示されるユーザのＴＯＰ画面としての画面１００の一例を示している。ユーザは、本サービスの利用に先立って、サーバにアクセスし、ユーザＩＤおよびパスワード等の入力を経て、このＴＯＰ画面に到達することができる。
【００２３】
図７は、ユーザ端末においてユーザの子情報画面としての画面１０１の一例を示している。画面１０１は、ユーザのマイナーサリーとしてあらかじめ登録しているユーザだけが閲覧できる画面であり、画面１０１の画面５００の機能からの二次画面とする。
【図面の簡単な説明】
【００２４】
【図１】本発明の実施の形態に係るソーシャルネットワークサービスシステムの概略構成を示す図である。
【図２】本発明の実施の形態におけるソーシャルネットワークサービスに登録された複数のユーザＡ〜Ｋの間の対応関係を示す図である。
【図３】本発明の実施の形態に係わるソーシャルネットワークシステムに登録されたマイナーサリー(指定託児者)からの子情報閲覧関係を示す図である。
【図４】本発明の実施の形態における、ソーシャルネットワークシステムに登録されたマイナーサリーに対して一斉メール配信を示す図である。
【図５】本発明の実施の形態における未登録ユーザの登録手順の一例を説明するための図である。
【図６】ユーザ端末において本実施の形態のサービスを利用する際に表示されるTOP画面としてのメニュー画面の一例を示す図である。
【図７】ユーザ端末において本実施の形態のサービスを利用するユーザの子情報が表示されるTOP画面としてのメニュー画面の一例を示す図である。
【符号の説明】
【００２５】
１…ＷＥＢサーバ、２…データベース
【図２】
2008176539.tif 000003
【図４】
2008176539.tif 000004
【図５】
2008176539.tif 000005
【図１】
2008176539.tif 000006
【図３】
2008176539.tif 000007
【図６】
2008176539.tif 000008
【図７】
2008176539.tif 000009